(57)【要約】      （修正有）【課題】吸盤付き日除けマットを付けた状態では、窓ガラスの開閉が出来なくなる、問題を有していた。本考案は自動車のドアガラスの天場に、金具付き日除けマットを引っ掛けて使用する、自動車専用日除けマットの提供。【解決手段】略Ｃ型金具の付いた、日除けマットを提供することである。【選択図】図１０
0003130070.tif 000002
【実用新案登録請求の範囲】
【請求項１】
本考案は自動車専用日除けマットで、ドアガラスの天場に金具付き日除けマットを引っ掛けて使用することを特徴とする。
【請求項２】
金具付き日除けマットの金具に、ひずみ防止用の切り込みを入れたことを特徴とする。
【考案の詳細な説明】
【技術分野】
【０００１】本考案は自動車のドアガラスの天場に、金具付き日除けマットを引っ掛けて使用する、自動車専用日除けマット。
【背景技術】
【０００２】従来、車の日除けで使用されてる物では、吸盤付き日除けマットが一般的である。
【考案が解決しようとする課題】
【０００３】吸盤付き日除けマットを取り付けると、窓ガラスの開閉が出来なくなる、問題を有していた。
【０００４】本考案は従来技術の問題を克服し、ドアガラスの天場に引っ掛けるだけで、日除けを可能にした自動車専用日除けマットである。
【課題を克服するための手段】
【０００５】ドアガラスの天場に、略Ｃ字状の金具が付いたマットを引っ掛けるだけで、日除けが可能になります。
【０００６】マットの素材を柔らかくすることで、ドアガラスの開閉を容易にすることができるようになります。
【０００７】各種、自動車ガラスの形状に対応できるように、金具に上下、６カ所の切れ込みをいれて金具に来る、ひずみ防止を考案しております。
【０００８】金具とマットの固定方法は、マットを差し込みプレスしてリッベターで止めます。
【０００９】また、マットの素材としては、紫外線カットネット、塩化ビニール、タオル生地、布地などが望ましい。
【００１０】金具の素材は、ステンレス、スチールなどが望ましい。
【００１１】本考案の実施形態例を図面参照して説明します。
【００１２】（図２）で書いてある、金具（略Ｃ型）にマットをリッベターで（図４）固定します。
【００１３】また、（図３）で書いてあるフィルムを金具とマットの間に挟み込み、マットが傷まないようにしてあります。
【考案の効果】
【００１４】本考案を利用する事によって、日焼けの防止に効果が期待できる物と考えております。
【図面の簡単な説明】
【図１】  本考案に係る、金具の断面図
【図２】  本考案に係る、金具の姿図
【図３】  本考案に係る、生地防護フィルム
【図４】  本考案に係る、金具とマットの取り付け断面図
【図５】  本考案に係る、自動車のガラスに日除けマットを取り付けた図
【図６】  本考案に係る、リッベターの固定場所
【図７】  本考案に係る、自動車のガラスに日除けマットを取り付けた、詳細図
【符合の説明】
１，  日除けマット金具
２，  日除けマット
３，  リッベター
４，  防護フィルム
５，  ひずみ防止の切れ込み
６，  自動車のガラス
【図１】
0003130070.tif 000003
【図２】
0003130070.tif 000004
【図３】
0003130070.tif 000005
【図４】
0003130070.tif 000006
【図５】
0003130070.tif 000007
【図６】
0003130070.tif 000008
【図７】
0003130070.tif 000009
【手続補正書】
【提出日】平成18年12月7日(2006.12.7)
【手続補正１】
【補正対象書類名】実用新案登録請求の範囲
【補正対象項目名】全文
【補正方法】変更
【補正の内容】
【実用新案登録請求の範囲】
【請求項１】
いろんな自動車ガラスの形状に合わせるために、歪みを吸収する切り込みを入れたＣ型金具にマットを取り付けた、ドアガラスの天場に引っ掛けて使用する、自動車専用日除けマット。
【請求項２】
上部に、Ｕ字状のフック金具を６カ所取り付けた、ドアガラスの天場に引っ掛けて使用する、自動車専用日除けマット。
【手続補正２】
【補正対象書類名】明細書
【補正対象項目名】全文
【補正方法】変更
【補正の内容】
【考案の詳細な説明】
【技術分野】
【０００１】本考案は、自動車ドアガラスの天場に、歪みを吸収するための切り込みが入ったＣ型金具に日除けマットを取り付けて使用する、自動車専用日除けマット。【０００２】また、日除けマットの上部に、Ｕ字状のフック金具を６カ所に取り付け、自動車ドアガラスの天場に引っ掛けて使用する、自動車専用日除けマット。
【背景技術】
【０００３】従来、車の日除けで使用されてる物では、吸盤付き日除けマットが一般的である。
【考案が解決しようとする課題】
【０００４】吸盤付き日除けマットを取り付けると、窓ガラスの開閉が出来なくなる、問題を有していた。
【０００５】本考案は、従来技術の問題を克服し、ドアガラスの天場に引っ掛けるだけで、日除けを可能にした自動車専用日除けマット。
【課題を克服するための手段】
【０００６】自動車のガラス形状に合わせるために、歪みを吸収する切り込みが入ったＣ型金具に日除けマットを取り付け、ガラスの上部に引っ掛けて使用する。
【０００７】また、日除けマットの上部に、Ｕ字状の金具を６カ所に取り付けた、自動車日除けマットを引っ掛けて使用する。
【０００８】金具とマットの固定方法は、マットを差し込み、プレスしてリッベターでとめます。
【０００９】Ｕ字状金具とマットの固定方法は、金具に２カ所の穴を開け、リッベターで固定します。
【００１０】マットの素材としては、紫外線カットネット、塩化ビニール、タオル生地、布地などが望ましい。
【００１１】金具の素材としては、ステンレス、スチール、プラスチックなどが望ましい。
【考案の実施形態】
【００１２】考案の実施形態例を、図面で参照して説明する。
【００１３】（図２）で書いてある、Ｃ型金具にマットをリッベターで（図４）固定します。
【００１４】また、（図３）で書いてあるフィルムを金具とマットの間に挟み込み、マットが傷まないようにしてあります。
【考案の効果】
【００１５】本考案を、利用することによって、日焼けの防止に効果が期待できると考えております。
【図面の簡単な説明】
【００１６】
【図１】考案に係る、金具の断面図。
【図２】考案に係る、金具の姿図。
【図３】考案に係る、生地防護フィルム。
【図４】考案に係る、金具とマットの取り付け断面図。
【図５】考案に係る、自動車のガラスに日除けマットを取り付けた図。
【図６】考案に係る、リッベターの固定場所。
【図７】考案に係る、自動車のガラスに日除けマットを取り付けた、詳細図。
【図８】考案に係る、Ｕ字状フック金具。
【図９】考案に係る、日除けマットにＵ字状金具を取り付けた図。
【図１０】考案に係る、Ｕ字状金具の付いた日除けマットを、自動車ガラスに取り付けた図。
【符合の説明】
【００１７】１，  日除けマット金具
２，  日除けマット
３，  リッベター
４，  防護フィルム
５，  歪み防止の切れ込み
６，  自動車のガラス
７，  Ｕ字状フック金具
【手続補正３】
【補正対象書類名】図面
【補正対象項目名】図８
【補正方法】追加
【補正の内容】
【図８】
0003130070.tif 000010
【手続補正４】
【補正対象書類名】図面
【補正対象項目名】図９
【補正方法】追加
【補正の内容】
【図９】
0003130070.tif 000011
【手続補正５】
【補正対象書類名】図面
【補正対象項目名】図１０
【補正方法】追加
【補正の内容】
【図１０】
0003130070.tif 000012